(57)【特許請求の範囲】
【請求項１】
レンズ、レンズ保持手段及びＣＣＤを搭載してなるレンズブロックを、読み取り走行体の支持レールに取り付けた受け台により保持し、該受け台と上記走行体支持レールとの間に、該受け台を取り外すことなくスペーサを挿入可能としてなる画像読み取り装置において、上記支持レールの下面側から上記受け台を取り付け、上記支持レールの上記受け台取り付け位置に対応させて穴を設け、該穴から上記支持レールの下面と上記受け台の上面との間に上記スペーサを挿入可能としてなることを特徴とする画像読み取り装置。
【請求項２】
上記穴を、上記読み取り走行体の支持レールの画像読み取り装置本体内側に設けてなることを特徴とする請求項１の画像読み取り装置。
【請求項３】
上記穴を２箇所連設し、これらの穴に上記スペーサを同時に挿入可能としてなることを特徴とする請求項１または２の画像読み取り装置。
【請求項４】
上記スペーサの上記受け台と上記走行体支持レールとの間への挿入部位が、挿入深さにより厚さが変化する形状を有することを特徴とする請求項１ないし３のいずれかの画像読み取り装置。
【発明の詳細な説明】
【０００１】
【発明の属する技術分野】
本発明は複写機、テジタルスキャナー等の画像読み取り装置に関し、レンズブロックの傾き、即ちスキューを調整可能な光学調整構造を有するものに関する。
【０００２】
【従来の技術】
図１にスキャナの画像読み取り装置の概略的な断面図を示す。この装置は、装置本体１内に第１キャリッジ２、第２キャリッジ３、レンズブロック４、ＡＰＳセンサ５等を備え、コンタクトガラス６上の原稿を走査して原稿面を読み取るものである。図中７はスケール、８は白基準板、９はホームポジションセンサである。第１キャリッジ２は、照明ランプ１０と第１ミラー１１を有し、第２キャリッジ３は第２ミラー１２と第３ミラー１３を有し、第２キャリッジ３が第１キャリッジ２の１／２の速度で移動するようになっている。レンズブロック４は、レンズ１４、レンズ保持台１５、ラインＣＣＤ（以下単にＣＣＤ）１６及びＣＣＤ基板１７等をベース板１８上に搭載して構成してある。
【０００３】
図２は図１の第１、第２キャリッジ２、３の駆動系の斜視図である。第１、第２キャリッジ２、３は、駆動プーリ１９他の多数のプーリに掛け回したワイヤ２０をモータ２１で巻き取り、巻き戻しすることによって図１の矢印Ｘ方向、即ち方向に副走査方向に往復駆動される。各キャリッジ２、３は、副走査方向に設けた一対の図示せぬレール上を摺動しながら移動し、コンタクトガラス６上の原稿を照明ランプ１０によって照射し、その反射光を第１ミラー１１、第２ミラー１２、第２ミラー１３によって反射させ、レンズ１４を通ってＣＣＤ１６に入る。ＣＣＤ１６によって読み取られた画像情報は、画像信号として画像処理回路等を経てコンピュータ、プリンタ等へ入力される。図中２２はフレキシブルワイヤである。
【０００４】
この種の装置では、画像に歪みが生じないように、読み取った画像のレジスト及びスキャンラインの傾き（スキュー）の調整が必要があり、本来は装置を実際に使用される状態において１台毎にキャリッジ２、３、ミラー１１〜１３、ＣＣＤ１６の傾きを再調整しなければならない。レジスト調整は、主走査、副走査方向ともに読み取り開始タイミングをずらすことにより調整可能であり、光学的にある程度の精度が出ていれば最後の微調整をソフト的に対応することができる。また第１、第２キャリッジ２、３をＣＣＤ１６からの光学的距離が正しくなるように調整する方法として、例えば装置本体１のフレームや第１、第２キャリッジ２、３のガイドレールの位置決め穴に治具ピンを差し込み、第１、第２キャリッジ２、３を位置決めするというものや、例えば特開昭６３−１１９２２号公報に開示の複写機の画像歪み調整装置のように、キャリッジ２、３が走行するガイドレールを上下させて調整するものもある。
【０００５】
【発明が解決しようとする課題】
しかしながらスキューは、キャリッジ２、３の移動方向とＣＣＤ１６が正確に直角でない限り、ソフト的には補正できないため、レンズブロック４の傾き調整には高い精度が要求される。またＣＣＤ１６側の調整は、ＣＣＤ１６の出力波形を見ながら行う必要があり、オシロスコープ等の専用の測定器や調整装置が必要で、サービスマンが市場で行うのは極めて難しい。従ってＣＣＤをレンズ等とともにユニットとして（即ち図１の例でのレンズブロック４のように）予め調整したものを用意して、部品交換だけでメンテナンスできるようにしている。完成して機械１台毎に個別に調整してしまうと、ユニット交換時に再調整が必要になることと、生産効率から考えてもユニットレベルで調整した方がよいからである。
【０００６】
ユニット化したレンズブロック単体では非常に精度よく調整されており、交換するだけでもほとんどのユーザーを満足させるだけの精度は得られるが、用途によっては非常に高い精度を要求される分野があり（例えばＣＡＤ図面の出力等）、そのような場合には、ユーザーの要求を満足しない場合が生じてくるため装置毎に微調整が必要となる。即ち、装置本体１に取り付けた状態では、装置本体１との組み合わせによってごく僅かに光軸がずれることがあり、また装置本体１を置く床の平面度が悪い場合には装置全体が多少歪み、その影響で光軸が僅かにずれる場合もあるからである。ところがこれらの例では、調整用のピン等の専用治具が必要となり、サービスマンが市場で調整するのは困難であるという問題がある。
【０００７】
本発明は上記従来の問題点に鑑みてなしたもので、高い生産効率を保ちつつ市場でのスキュー再調整を容易に行える画像読み取り装置を提供することを目的とする。
【０００８】
【課題を解決するための手段】
本発明の画像読み取り装置のうち請求項１に係るものは、上記目的を達成するために、レンズ、レンズ保持手段及びＣＣＤを搭載してなるレンズブロックを、読み取り走行体の支持レールに取り付けた受け台により保持し、該受け台と上記走行体支持レールとの間に、該受け台を取り外すことなくスペーサを挿入可能としてなる画像読み取り装置において、上記支持レールの下面側から上記受け台を取り付け、上記支持レールの上記受け台取り付け位置に対応させて穴を設け、該穴から上記支持レールの下面と上記受け台の上面との間に上記スペーサを挿入可能としてなることを特徴とする。
【０００９】
同請求項２に係るものは、上記目的を達成するために、上記穴を、上記読み取り走行体の支持レールの画像読み取り装置本体内側に設けてなることを特徴とする。
【００１０】
同請求項３に係るものは、上記目的を達成するために、上記穴を２箇所連設し、これらの穴に上記スペーサを同時に挿入可能としてなることを特徴とする。
【００１１】
同請求項４に係るものは、上記目的を達成するために、上記スペーサの上記受け台と上記走行体支持レールとの間への挿入部位が、挿入深さにより厚さが変化する形状を有することを特徴とする。
【００１２】
【発明の実施の形態】
以下本発明の実施の形態を図面を参照して説明する。なお以下では従来と共通する部分には共通する符号を付すに止め重複する説明は省略する。
図３は本発明の一実施形態に係る画像読み取り装置の要部を示す断面図、図４はその部分拡大斜視図である。本実施形態では、レンズブロック４のベース板１８を支持する一対の断面Ｌ字状の受け台３０、３０を、キャリッジ２、３の断面溝型の走行体支持レール３１、３１の下側に吊り下げた状態に取り付けてある。受け台３０は、一対のビス３２により走行体支持レール３１に取り付けているが、これらビス３２の位置はもちろんキャリッジ２、３の走行範囲から外れている。
【００１３】
走行体支持レール３１の上縁部には、ビス３２、３２の取り付け位置と対応させて一対の穴３３、３３を明けてある。この穴３３は、スペーサ３４を挿入するためのものである。スペーサ３４は図５に示すようにビス３２の軸をはさめるようにフォーク状の形状を有するもので、ビス３２を緩めてフォーク状の挿入部３５、３５を走行体支持レール３１の裏面と受け台３０の上面の間に挿入することができるようになっている。
【００１４】
即ち図６に示すように、片側の走行体支持レール３１と受け台３０の間にスペーサ３４を挟むと、受け台３０が片側だけ下がり、従ってレンズブロック４のベース板１８が僅かに傾き、このため原稿に対して読み取りラインが斜めになってスキュー調整ができることになる。スペーサ３４を例えば板バネのような薄い材料で形成し、複数枚使用し、挿入する枚数を変えることにより、レンズブロック４の傾き量を容易に調整できる。もちろん、厚さの異なるスペーサ３４を数種類用意しておいて補正したい量に合わせて使用してもよい。なお、通常の構造では読み取り光学系のミラー、ランプ等が移動するという特性上、走行体支持レール３１はレンズ１４やＣＣＤ１６等の部品よりも高い位置にあるので、スペーサ３４の挿入はレンズ１４等よりも高い位置で作業でき、レンズ１４へのゴミの付着防止、フレア光防止のために設けてあるカバーを付けたままでも作業でき、作業効率がよい。
【００１５】
図７は本発明の第２の実施形態に係る画像読み取り装置の要部を示す図６相当の断面図である。本実施形態では、穴３３をスペーサ３４を走行体支持レール３１の内側、即ち一対の走行体支持レール３１、３１間の内側に明け、走行体支持レール３１、３１間の内側からスペーサ３４を挿入可能にしている。読み取り光学系は通常はほぼ画像読み取り幅の長さを持っており、従ってコンタクトガラス６とだいたい同じ幅になっており、それを支持する２本の走行体支持レール３１、３１間もおよそコンタクトガラス６の幅に近い。また通常、読み取り装置内部にアクセスする場合には、コンタクトガラス６は取り外す。そこで本実施形態のようにスペーサ３４を走行体支持レール３１、３１の内側から挿入可能にしておけば、コンタクトガラス６を外すだけで、他の部品、例えばコンタクトガラス６の周辺のカバー等を外さなくても作業ができ、効率がよい。
【００１６】
図８はスペーサの他の形状例を示す斜視図である。この例のスペーサ４０は、フォーク状の挿入部３５、３５を一対間隔を置いて有するもので、図４に示すように穴３３が間隔を置いて連接している場合、一度に両方の穴３３にさし込めるようになっている。即ち、レンズブロック４の取り付け高さを変えてスキュー調整をする場合、走行体支持レール３１に対して平行を維持しながら高さを変える必要があり、平行を維持するために受け台３０は図示の形態のように２ヶ所で走行体支持レール３１に固定するが、平行度を維持しながら高さを変えるためには、２カ所のビス止め位置に同じ厚さ、同じ枚数のスペーサを挿入しなければならない。本例のスペーサ４０は簡単に平行を維持しながらレンズブロック４の取り付け高さを変えることができる。
【００１７】
図９はスペーサのさらに他の形状例を示す斜視図である。この例のスペーサ５０は、フォーク状の挿入部を一対間隔を置いて有するだけでなく、挿入部４１の厚さが先端が薄く、基端が厚くなっている。即ち、本例のスペーサ５０は挿入深さによって厚さが変化し、挿入深さによってレンズブロック４の高さ調整量を容易にコントロールできるようにしてある。
【００１８】
【発明の効果】
請求項１に係る画像読み取り装置は以上説明してきたように、レンズブロックを装置から取り外さずに傾けてスキューの微調整を容易にでき、スペーサの枚数等で傾き補正量を確認できるため、専用治具等を用いる必要がなく、市場でサービスマンが容易に対応できるという効果がある。また、読み取り走行体の走行体支持レールがレンズやＣＣＤ等よりも高い位置にあるため、スペーサの挿入をレンズよりも高い位置で行え、コンタクトガラスを外すだけで作業でき、レンズへのゴミの付着やフレア光防止のために設けてあるカバーを付けたままでも作業でき、作業効率がよいという効果を奏する。
【００１９】
請求項２に係る画像読み取り装置は以上説明してきたように、スペーサをレール内側から挿入可能なため、上記共通の効果に加え、コンタクトガラスを外すだけで他の部品を取り外さなくても作業ができ、効率がよいという効果を奏する。
【００２０】
請求項３に係る画像読み取り装置は以上説明してきたように、スペーサが２個連接して挿入できるため、上記共通の効果に加え、簡単にレンズブロックの平行を維持しながら高さを変えることができるという効果がある。
【００２１】
請求項４に係る画像読み取り装置は以上説明してきたように、スペーサの挿入部位が挿入深さによって厚さが変わる形状を有するため、上記共通の効果に加え、レンズブロックの高さ調整量を非常に容易にコントロールでき、多数枚のスペーサを用意しなくても済むという効果がある。
【図面の簡単な説明】
【図１】スキャナの画像読み取り装置の概略的な断面図である。
【図２】図１の第１、第２キャリッジの駆動系の斜視図である。
【図３】本発明の一実施形態に係る画像読み取り装置の要部を示す断面図である。
【図４】同部分拡大斜視図である。
【図５】図３中のスペーサを拡大して示す斜視図である。
【図６】本発明の一実施形態におけるレンズブロックの高さ調整状態を示す断面図である。
【図７】本発明の第２の実施形態に係る画像読み取り装置の要部を示す図６相当の断面図である。
【図８】スペーサの他の形状例を示す斜視図である。
【図９】スペーサのさらに他の形状例を示す斜視図である。
【符号の説明】
１  装置本体
２  第１キャリッジ
３  第２キャリッジ
４  レンズブロック
６  コンタクトガラス
１０  照明ランプ
１１〜１３  ミラー
１４  レンズ
１５  レンズ保持台
１６  ラインＣＣＤ
１７  ＣＣＤ基板
１８  ベース板
３０  受け台
３１  走行体支持レール
３２  ビス
３３  穴
３４、４０、５０  スペーサ
３５、４１  挿入部
【図１】
0003554142.tif 000002
【図２】
0003554142.tif 000003
【図３】
0003554142.tif 000004
【図４】
0003554142.tif 000005
【図５】
0003554142.tif 000006
【図６】
0003554142.tif 000007
【図７】
0003554142.tif 000008
【図８】
0003554142.tif 000009
【図９】
0003554142.tif 000010